(57)【要約】【課題】球状体の周辺に形成される液だまりを確実に保持しておくことができる、新たな二重容器を提案する。【解決手段】本発明の二重容器は、容器の外殻を形成する外層体１０と、内容物の収容空間Ｓに通じる上部開口２１を有するとともに外層体１０の内側に収められる内層体２０と、収容空間Ｓにつながる貫通孔３１を残して上部開口２１を閉鎖する底壁３２を有し、底壁３２に貫通孔３１を取り囲む周壁３５を備える中栓３０と、周壁３５に連結してその内側に内容物の流路Ｒを形成する注出筒４１を備える注出栓４０と、外層体１０の姿勢変更に応じて貫通孔３１の閉鎖、開放を行う球状体Ｂとを備え、中栓３０は、貫通孔３１の縁部から起立してその先端に球状体Ｂと接する着座部を有するとともに周壁３５との相互間に上向き開放の凹部空間３７を区画する筒状壁３６を有することを特徴とする。【選択図】図１
2014213906.tif 000002
【特許請求の範囲】
【請求項１】
容器の外殻を形成する外層体と、内容物の収容空間に通じる上部開口を有するとともに該外層体の内側に収められる減容変形自在な内層体と、該収容空間につながる貫通孔を残して該上部開口を閉鎖する底壁を有し、該底壁に該貫通孔を取り囲む周壁を備える中栓と、該周壁に連結してその内側に内容物の流路を形成する注出筒を備えるとともに該外層体の口部に装着される注出栓と、該外層体の姿勢変更に応じて該流路内を移動して該貫通孔の閉鎖、開放を行う球状体と、を備える二重容器であって、
前記中栓は、前記貫通孔の縁部から起立してその先端に前記球状体と接する着座部を有するとともに前記周壁との相互間に上向き開放の凹部空間を区画する筒状壁を有する二重容器。
【請求項２】
前記着座部は、前記収容空間に向かって縮径する傾斜面である請求項１に記載の二重容器。
【請求項３】
前記注出筒を覆う頂壁を備えるとともに前記注出栓に着脱自在に保持される蓋体を有し、該頂壁は、該蓋体の閉鎖姿勢にて該注出筒に挿通されて前記球状体の移動を抑えるストッパーを備える請求項１又は２に記載の二重容器。
【発明の詳細な説明】
【技術分野】
【０００１】
本発明は、容器の外殻を形成する外層体と、外層体の内側に収められる減容変形自在な内層体とを備え、内容物の吐出に伴って内層体のみを減容させる二重容器に関するものである。
【背景技術】
【０００２】
化粧水などの化粧料や、シャンプーやリンス或いは液体石鹸、また食品調味料などを収納する容器としては、容器の外殻を形成する外層体と、外層体の内側に収められる減容変形自在な内層体とを備え、外層体に、内外に通じる外気導入用の開口を設けて、内容物の吐出に伴って内層体のみを減容させるようにした二重容器（デラミ容器とも言う）が知られている。
【０００３】
また、内容物の吐出方式としては、外層体の口部に装着したポンプによるものや、外層体の胴部をスクイズすることによるものがあるが、内容物の粘度が比較的低い場合には、容器を傾倒或いは倒立姿勢にすることで、内容物の自重によって吐出させることも可能である。ここで特許文献１には、容器の口部に装着する注出栓内に、容器の姿勢変更に応じて自重で移動する球状体（ボール弁）を設け、容器が起立姿勢にある時は、球状体が注出栓の傾斜壁に着座することで内容物の収容空間に外気が入り込むことを防止する一方、容器を傾倒或いは倒立姿勢にすることで、球状体が注出栓の傾斜壁から移動して、内容物の自重によって吐出することができる二重容器が示されている。
【先行技術文献】
【特許文献】
【０００４】
【特許文献１】特開２０１１−７３７７０号公報
【発明の概要】
【発明が解決しようとする課題】
【０００５】
ところで、内容物の吐出後に容器を起立姿勢に戻した際、図４（ａ）に示すように球状体の下部には表面張力にて液だまりが形成され、これにより、球状体、及び球状体が着座する傾斜壁の周辺部位の乾きを防止している。しかし、容器を移動させたり容器に振動が加わったりして液だまりに軽い衝撃が及ぶと、図４（ｂ）に示すように溜まった液の一部又は全部が落下することがある。このような状況下で時間が経過すると、球状体や傾斜壁に付着した内容物が空気に曝されて乾いてしまい、球状体の移動に支障が出たり、当接面でのシール性が悪くなったりするおそれがある。このため、液だまりを確実に保持しておくことができる改良が求められている。
【０００６】
本発明は、このような従来の問題点を解決することを課題とするものであり、その目的は、球状体の周辺に形成される液だまりを確実に保持しておくことができ、これによって、球状体及びこの球状体が着座する周辺部位が乾燥してしまうことに起因する吐出不良を、有効に防止することができる、新たな二重容器を提案するところにある。
【課題を解決するための手段】
【０００７】
本発明は、容器の外殻を形成する外層体と、内容物の収容空間に通じる上部開口を有するとともに該外層体の内側に収められる減容変形自在な内層体と、該収容空間につながる貫通孔を残して該上部開口を閉鎖する底壁を有し、該底壁に該貫通孔を取り囲む周壁を備える中栓と、該周壁に連結してその内側に内容物の流路を形成する注出筒を備えるとともに該外層体の口部に装着される注出栓と、該外層体の姿勢変更に応じて該流路内を移動して該貫通孔の閉鎖、開放を行う球状体と、を備える二重容器であって、
前記中栓は、前記貫通孔の縁部から起立してその先端に前記球状体と接する着座部を有するとともに前記周壁との相互間に上向き開放の凹部空間を区画する筒状壁を有する二重容器である。
【０００８】
前記着座部は、前記収容空間に向かって縮径する傾斜面であることが好ましい。
【０００９】
前記注出筒を覆う頂壁を備えるとともに前記注出栓に着脱自在に保持される蓋体を有し、該頂壁は、該蓋体の閉鎖姿勢にて該注出筒に挿通されて前記球状体の移動を抑えるストッパーを備えることが好ましい。
【発明の効果】
【００１０】
本発明の二重容器は、内容物の収容空間につながる貫通孔を残して内層体の上部開口を閉鎖する底壁を有するとともに、この底壁に貫通孔を取り囲む周壁を設けた中栓を備え、更にこの中栓は、貫通孔の縁部から起立してその先端に球状体と接する着座部を有するとともに周壁との相互間に上向き開放の凹部空間を区画する筒状壁を有するものであるので、凹部空間に内容物を確実に溜めておくことができ、これによって球状体及び着座部の乾燥を防止することが可能となる。
【００１１】
着座部を、収容空間に向かって縮径する傾斜面とする場合は、貫通孔が閉鎖される所定位置に向けて、球状体を確実に誘導することができるので、球状体のシール機能が安定的に発揮される。
【００１２】
注出筒を覆う頂壁を備えるとともに注出栓に着脱自在に保持される蓋体を設け、更に頂壁に、蓋体の閉鎖姿勢にて注出筒に挿通されて球状体の移動を抑えるストッパーを設ける場合は、容器に振動が加わっても、球状体が着座部からほとんど離れることがないので、球状体及び着座部が意図せず乾燥してしまう不具合を有効に防止できる。
【図面の簡単な説明】
【００１３】
【図１】本発明に従う二重容器の一実施形態につき、（ａ）は要部の断面図であり、（ｂ）は、（ａ）に示したＡ−Ａに沿う断面図（球状体は省略している）である。
【図２】図１に示す二重容器を傾倒させて内容物を吐出させる状況を示す図である。
【図３】内容物を吐出した後、凹部空間に内容物が溜まった状況を示す要部拡大断面図である。
【図４】従来の容器で形成される液だまりを示す、（ａ）は正常状態の説明図であり、（ｂ）は、溜まった液の一部が落下した状態の説明図である。
【発明を実施するための形態】
【００１４】
以下、図面を参照して、本発明をより具体的に説明する。
図１は、本発明に従う二重容器の一実施形態につき、（ａ）は要部の断面図であり、（ｂ）は、（ａ）に示したＡ−Ａに沿う断面図であって、図２は、図１に示す二重容器を傾倒させて内容物を吐出させる状況を示す図であって、図３は、内容物を吐出した後、凹部空間に内容物が溜まった状況を示す要部拡大断面図である。
【００１５】
図１（ａ）において、符号１は、本発明の二重容器の一実施形態を示す。二重容器１は、容器の外殻を形成する外層体１０と、外層体１０の内側に収められる内層体２０とを備えていて、その上部に中栓３０、注出栓４０、及び蓋体５０とを備えている。また中栓３０と注出栓４０との間には、外層体１０の姿勢変更に応じてそれ自身の自重で移動する球状体Ｂを設けている。本実施形態における二重容器１は、合成樹脂製の外層体１０と、外層体１０に対して相溶性が低い合成樹脂にて形成される内層体２０とを積層させたものであり、これらの合成樹脂素材を積層して形成したパリソンを、ブロー成形することによって得られたものである。また、図示は省略するが、本実施形態において、外層体１０と内層体２０との間には、縦方向に延在して外層体１０と内層体２０とを部分的に接合する１本の接着帯を設けている。なお、接着帯は必要に応じて設けられるものであり、これを設けなくても、また複数本設けてもよい。
【００１６】
外層体１０は、復元自在な可撓性を有するものであり、円筒状の口部１１に胴部１２を連結するとともに、図示を省略した底部を胴部１２に連結したものである。口部１１の外周面には雄ねじ部１３を設けている。なお、図示は省略するが、外層体１０にはその内外を貫通する外気導入孔が形成されている。外気導入孔は、ブロー成形にて底部に形成されるピンチオフ部のスリットを利用するものでも、また、ブロー成形後に口部１１や胴部１２に後加工にて設けるものであってもよい。
【００１７】
内層体２０は、その内側に内容物を充填可能とする収容空間Ｓを形成するとともに、収容空間Ｓに通じる上部開口２１を有するものであり、積層された外層体１０から剥離させることで減容変形させることができる。
【００１８】
中栓３０は、内層体２０の上部開口２１に設けられるものであり、収容空間Ｓにつながる貫通孔３１を残して上部開口２１を閉鎖する底壁３２を有している。本実施形態の底壁３２は、図１（ａ）に示すように、水平方向に延在する中央底壁３２ａの縁部に垂直方向に延在する環状の中間壁３２ｂを連結させ、中間壁３２ｂの上部に水平方向外側に向けて延在する外縁壁３２ｃを連結したものである。外縁壁３２ｃは、その下面に、内層体２０を挟み込んで外層体１０と当接する環状のシール壁３３を備えていて、その上面に、環状壁３４を備えている。また底壁３２は、貫通孔３１を取り囲み、本実施形態では中央底壁３２ａから上方へ向けて起立する周壁３５を備えている。更に中央底壁３２ａは、貫通孔３１の縁部から上方へ向けて起立する筒状壁３６を備えている。筒状壁３６の先端には、球状体Ｂと接する着座部として、収容空間Ｓに向かって縮径する傾斜面３６ａを設けている。また、筒状壁３６と周壁３５との相互間には、上向き開放の凹部空間３７が区画される。本実施形態では、周壁３５の内面に、周方向に間隔をあけて配置される縦リブ３８を設けていて（ここでは図１（ｂ）に示すように等間隔で合計３個）、これにより凹部空間３７を等間隔に３つに分割している。なお、凹部空間３７の形状や形成範囲は、本実施形態で示した図示例に限定されるものではなく、例えば縦リブ３８の本数を変更して分割数を変更しても、或いは縦リブ３８で分割せずに周方向に連続させてもよい。また縦リブ３８の先端には、径方向内側に向けて突出する凸部３８ａを設けている。
【００１９】
注出栓４０は、周壁３５に連結するとともに上方に向けて拡径しつつ上端を径方向外側に湾曲させてリップを形成した注出筒４１を備えている。周壁３５及び注出筒４１の内側には、収容空間Ｓ内の内容物が流れる流路Ｒが形成される。また注出筒４１は、環状壁３４上を水平方向に延在する天壁４２に連結している。天壁４２の縁部には、口部１１を取り囲む外周壁４３を連結していて、外周壁４３の内周面には、口部１１の雄ねじ部１３に対応する雌ねじ部４４を設けている。これにより注出栓４０は、中栓３０を間に挟んで口部１１にねじ止めされる。なお、注出栓４０を口部１１に装着するに当たっては、アンダーカットを利用してもよい。
【００２０】
蓋体５０は、注出栓４０の上方を覆う頂壁５１の縁部に外周壁５２を連結するとともに、外周壁５２と注出栓４０の外周壁４３とをヒンジ５３を介して一体連結した形態をなしていて、注出栓４０に着脱自在に保持される。なお、ヒンジ５３を設けずに、注出栓４０と蓋体５０とをねじ止めしたり、あるいはアンダーカット嵌合するようにしてもよい。頂壁５１の下面には、注出筒４１の内周面と液密に当接するシール筒５４を設けている。また、シール筒５４の径方向内側には、蓋体５０の閉鎖姿勢（図１（ａ）に示す姿勢）にて注出筒４１に挿通されて、球状体Ｂの移動を抑えるストッパーを備えている。本実施形態においては、下方に向けて延びるピン５５に複数個のリブ５６を設け、このリブ５６が、傾斜面３６ａ上の球状体Ｂに当接するようにしてストッパーを形成している。
【００２１】
上記のように構成される二重容器１から内容物を吐出するに当たっては、図２に示すように蓋体５０を開き、二重容器１を、起立姿勢から傾倒或いは倒立姿勢に姿勢変更する。これにより、着座部である傾斜面３６ａに接していた球状体Ｂは、自重にて注出筒４１側に変位し、また収容空間Ｓ内の内容物は、貫通孔３１を通り抜け、隣り合う縦リブ３８及び球状体Ｂにて区画される隙間を流動して、注出筒４１より吐出される。この際、外層体１０と内層体２０との相互間には前述の外気導入孔を通して外気が導入されるので、外層体１０はその形状を保ったまま、内層体２０のみが減容する。なお、中栓３０の凸部３８ａが、注出筒４１側に変位する球状体Ｂの抜け止めとして作用するので、二重容器１を傾倒或いは倒立姿勢にしても、球状体Ｂが落下してしまうことはない。
【００２２】
内容物を吐出した後、二重容器１を起立姿勢に戻すと、図３に示すように球状体Ｂは、自重にて収容空間Ｓ側に変位して、傾斜面３６ａに着座する。この時、流路Ｒ内の内容物は、その大半が収容空間Ｓに戻る一方、その一部が凹部空間３７に溜まることになる。これにより、球状体Ｂと傾斜面３６ａとの乾燥を防止することができる。
【００２３】
本実施形態においては、球状体Ｂの着座する部位が、収容空間Ｓに向けて縮径する傾斜面３６ａであるので、二重容器１を起立姿勢に戻した際、球状体Ｂは、傾斜面３６ａに誘導されてより確実に下方へ移動することとなり、収容空間Ｓを安定的に閉鎖することができる。
【００２４】
また、本実施形態においては、ストッパーとしてピン５５及びリブ５６を設け、リブ５６を、傾斜面３６ａ上の球状体Ｂに接するようにしているので、例えば輸送等によって容器に上下方向の振動が加わることがあっても、球状体Ｂと傾斜面３６ａから離れることがない。このため、球状体Ｂ及び傾斜面３６ａが意図せず乾燥してしまう不具合や、収容空間Ｓ内に外気が入り込む不具合を有効に防止できる。なお、リブ５６の個数は任意であり、１個であっても構わない。またリブ５６を設けずに、ピン５５が直接球状体Ｂに接するようにしてもよい。またリブ５６の形状も、図示のように断片状に設ける場合のみならず、周方向に連続させて環状に設けてもよい。更に、リブ５６が球状体Ｂに弾性的に当たるようにしてもよい（リブ５６が弾性片として機能する）。
【００２５】
更に、本実施形態では、貫通孔３１を設けた底壁３２（中央底壁３２ａ）の下面がフラット（突起等が設けられていない）になっている。図２に示すように、二重容器１を傾倒姿勢にして内容物を吐出する場合、底壁３２の下面がフラットであれば、内容物の残量が少なくなっても貫通孔３１から内容物を流出させることが可能である。一方、図４に示すように底壁の下面に傾斜壁を設ける場合は、容器を傾倒或いは倒立姿勢にした際に、底壁側に移動した内容物の液面が傾斜壁の開孔よりも低くなると、内容物をそれ以上吐出させることが難しくなる。すなわち本実施形態によれば、収容空間Ｓ内に残る内容物の量を、より少なくすることも可能である。
【産業上の利用可能性】
【００２６】
本発明によれば、球状体の周辺に形成される液だまりを確実に保持しておくことができるので、球状体及び球状体が着座する周辺部位が乾いてしまうことに起因する吐出不良を、有効に防止することができる、新規の二重容器を提供することが可能となる。
【符号の説明】
【００２７】
１  二重容器
１０  外層体
１１  口部
１２  胴部
１３  雄ねじ部
２０  内層体
２１  上部開口
３０  中栓
３１  貫通孔
３２  底壁
３２ａ  中央底壁
３２ｂ  中間壁
３２ｃ  外縁壁
３３  シール壁
３４  環状壁
３５  周壁
３６  筒状壁
３６ａ  傾斜面（着座部）
３７  凹部空間
３８  縦リブ
３８ａ  凸部
４０  注出栓
４１  注出筒
４２  天壁
４３  外周壁
４４  雌ねじ部
５０  蓋体
５１  頂壁
５２  外周壁
５３  ヒンジ
５４  シール筒
５５  ピン（ストッパー）
５６  リブ（ストッパー）
Ｂ  球状体
Ｒ  流路
Ｓ  収容空間
【図１】
2014213906.tif 000003
【図２】
2014213906.tif 000004
【図３】
2014213906.tif 000005
【図４】
2014213906.tif 000006